(57)【要約】【課題】２次元画像データと３次元画像データとが混在して記録される記録媒体から情報を再生する場合において、２次元表示と３次元表示との切り替えに起因する表示装置における画面の乱れを軽減する再生装置を提供する。【解決手段】再生装置は、表示装置で表示させる画像を制御するための画像情報を制御する表示制御部を備える。静止画データは、２次元表示を可能とする第１のフォーマットの静止画データと、３次元表示を可能とする第２のフォーマットの静止画データとを含む。表示制御部は、第１及び第２のフォーマットの静止画データを含む第１リストと、第２のフォーマットの静止画データのみを含む第２リストとを切り替え可能に表示するための画像情報を表示装置に出力し、第１リストが表示された状態で、静止画データの再生指示を受け付けたときに、第１リストに含まれる静止画データを２次元表示するためのモードで表示装置に出力する。【選択図】図１５
2012054922.tif 000002
【特許請求の範囲】
【請求項１】
複数の静止画データを記録した記録媒体から静止画データを読み出し、読み出した静止画データの情報を表示装置に出力することが可能な再生装置であって、
ユーザの操作による指示を受け付ける操作受付部と、
前記表示装置において表示させる画像を制御するための画像情報を制御する表示制御部とを備え、
前記複数の静止画データは、２次元表示を可能とする第１のフォーマットの静止画データと、３次元表示を可能とする第２のフォーマットの静止画データとを含み、
前記表示制御部は、動作モードとして、前記静止画データを２次元表示するためのフォーマットで出力する２次元モードと、前記静止画データを３次元表示するためのフォーマットで出力する３次元モードとを有し、
前記表示制御部は、前記第１のフォーマットの静止画データ及び前記第２のフォーマットの静止画データを含む第１リストと、第２のフォーマットの静止画データのみを含む第２リストとを切り替え可能に表示するための画像情報を前記表示装置に出力し、
前記表示制御部は、前記第１リストが表示された状態で、静止画データの再生指示を受け付けたときに、前記第１リストに含まれる静止画データを前記２次元モードで前記表示装置に出力する、
再生装置。
【請求項２】
前記第１リストが表示された状態で、前記第２リストを表示させるための指示を受け付けたときに、前記表示制御部は、前記表示装置に対して、前記表示装置が３次元表示を可能か否かの認証を行う、
請求項１に記載の再生装置。
【請求項３】
前記表示制御部は、
前記第１リストが表示された状態で、前記第２リストを表示させるための指示を受け付けたときに前記認証を行なう前に、切り替えメッセージを示す画面の情報を前記表示装置に出力する、
請求項２に記載の再生装置
【請求項４】
前記表示制御部は、
前記第１リストが表示された状態で、前記第２リストを表示させるための指示を受け付けた場合であっても、その指示の操作が操作途中であるときは、前記切り替えメッセージを示す画面の情報を前記表示装置に出力せず、かつ前記認証も行なわない、
請求項３に記載の再生装置。
【請求項５】
前記表示制御部は、前記第２リストが表示された状態で静止画データの再生指示を受け付けたときは、前記第２リストに含まれる静止画データを前記３次元モードで前記表示装置に出力する、
請求項１に記載の再生装置。
【請求項６】
前記表示装置が３次元表示は可能であるが、フレームシーケンシャル方式に対応していない場合は、前記表示制御部は、前記第２リストを表示された状態で静止画データの再生指示を受け付けたときでも、前記第２リストに含まれる静止画データを前記２次元モードで前記表示装置に出力する、
請求項５に記載の再生装置。
【発明の詳細な説明】
【技術分野】
【０００１】
本発明は、複数の静止画データを記録した記録媒体から情報を読み出して、表示装置に表示させることが可能な再生装置に関する。
【背景技術】
【０００２】
近年のデジタルスチルカメラは、２次元写真だけでなく３次元写真を撮影できるようになってきている。このようなデジタルスチルカメラによれば、記録媒体に、画像データとして、２次元画像データと３次元画像データとが混在して記録される。
【０００３】
特許文献１には、動画ファイル、音楽ファイル、静止画ファイルといった様々な形式のファイルが記録されている記録媒体のファイルを再生する際に、動画ファイルのみや音楽ファイルのみや静止画ファイルのみといったグループ毎にファイルの連続再生を行うことができるようにした再生装置が開示されている。
【先行技術文献】
【特許文献】
【０００４】
【特許文献１】特開２００８−１０８３６２号公報
【発明の概要】
【発明が解決しようとする課題】
【０００５】
ところで、２次元画像データと３次元画像データは、共に静止画データ、つまり同じ種類のデータである。
【０００６】
したがって、特許文献１に記載の方法で静止画ファイルのみを再生した場合、２次元画像データと３次元画像データが連続して再生されてしまう。
【０００７】
また、３次元写真を撮影した場合には、２次元画像データと３次元画像データの両方が記録される場合もある。このような場合、特許文献１に記載の方法を用いて静止画データを連続して表示させると、２次元写真と３次元写真とが交互に表示されることになる。
【０００８】
また、ＨＤＭＩのようなインタフェースを介して再生装置に接続された表示装置において、再生装置から２次元画像データと３次元画像データを連続して受信して表示する際、２Ｄ表示用の制御と３Ｄ表示用の制御の間で表示制御の切り換えが必要になる。この表示制御の切り替えの際、再生装置及び表示装置において、２次元写真の再生処理と３次元写真の再生処理の間で設定の変更が行われるので、表示画面の乱れが発生する。
【０００９】
本発明は、上記課題を解決するためになされたものであり、静止画データとして、２次元画像データと３次元画像データとが混在する記録媒体から情報を読み出して再生する再生装置であって、２次元表示と３次元表示の切り替えによる、表示装置における表示の乱れを防止できる再生装置を提供することを目的とする。
【課題を解決するための手段】
【００１０】
本発明に係る再生装置は、複数の静止画データを記録した記録媒体から静止画データを読み出し、読み出した静止画データの情報を表示装置に出力することが可能な再生装置である。再生装置は、ユーザの操作による指示を受け付ける操作受付部と、表示装置において表示させる画像を制御するための画像情報を制御する表示制御部とを備える。複数の静止画データは、２次元表示を可能とする第１のフォーマットの静止画データと、３次元表示を可能とする第２のフォーマットの静止画データとを含む。表示制御部は、動作モードとして、静止画データを２次元表示するためのフォーマットで出力する２次元モードと、静止画データを３次元表示するためのフォーマットで出力する３次元モードとを有する。表示制御部は、第１のフォーマットの静止画データ及び第２のフォーマットの静止画データを含む第１リストと、第２のフォーマットの静止画データのみを含む第２リストとを切り替え可能に表示するための画像情報を表示装置に出力する。表示制御部は、第１リストが表示された状態で、静止画データの再生指示を受け付けたときに、第１リストに含まれる静止画データを２次元モードで表示装置に出力する。
【発明の効果】
【００１１】
本発明によれば、第１リストが表示された状態で再生指示がなされた場合、第１リストに含まれる静止画データは全て２次元モードで表示装置に出力される。このため、第１リストが、第１のフォーマットの静止画データ（２次元画像データ）と、第２のフォーマットの静止画データ（３次元画像データ）とを混在して含んでいる場合であっても、表示装置において、２次元表示と３次元表示とを切り替える際に発生する認証処理等が発生せず、それに伴う表示の乱れを生じることがない。
【図面の簡単な説明】
【００１２】
【図１】実施の形態１に係る再生装置と外部機器との関係を示す図
【図２】実施の形態１に係る記録媒体内のデータのファイル構造を示す図
【図３Ａ】ＪＰＥＧファイルフォーマットの構成を示す図
【図３Ｂ】ＭＰＯファイルフォーマットの構成を示す図
【図４】実施の形態１に係る再生装置と表示装置の構成を示す図
【図５】写真一覧の画面例を示す図
【図６】表示装置の３Ｄ再生モードへの切り替え時に表示されるメッセージ画面の例を示す図
【図７】実施の形態１に係る表示モードの設定を説明するための図
【図８】３次元画像伝送（表示）方式の例を説明するための図
【図９】表示装置の３Ｄ再生モードへの切り替えを報知するためのメッセージ画面の例を示す図
【図１０】表示装置の２Ｄ再生モードから３Ｄ再生モードへの切り替え動作中に表示される画面の例を示す図
【図１１】写真一覧の画面例を示す図
【図１２】表示装置の２Ｄ再生モードへの切り替え時に表示されるメッセージ画面の例を示す図
【図１３】フォルダが選択されたときの写真一覧の表示例を示す図
【図１４】フォルダが選択されたときの写真一覧の表示例を示す図
【図１５】実施の形態１に係る２次元モードでの再生処理を説明するためのフローチャート
【図１６】実施の形態１に係る３次元モードでの再生処理を説明するためのフローチャート
【図１７】実施の形態２に係る表示モードの設定動作を説明するためのフローチャート
【発明を実施するための形態】
【００１３】
（実施の形態１）
以下、添付図面を参照しつつ、実施の形態について説明する。
【００１４】
１．システム構成
図１は、本実施の形態１に係る再生システムの構成の一例を示す。
【００１５】
本実施の形態１に係る再生システムは、カメラ１００、再生装置２００、表示装置３００、及び記録媒体４００を含む。
【００１６】
カメラ１００は、レンズを介して撮像素子上に形成された被写体像を撮影して静止画データを記録媒体４００に記録可能である。具体的には、カメラ１００は、レンズを介して撮像素子上に形成された被写体像を２次元表示可能な２次元写真及び３次元表示可能な３次元写真として撮影し、撮影した２次元写真及び３次元写真の静止画データを記録媒体４００に記録可能である。
【００１７】
記録媒体４００は、ＳＤカードやＵＳＢメモリカードといった媒体である。なお、本実施の形態１では、図２に示す情報が記録媒体４００に記録されているものとして説明を行なう。図２の説明は後で行う。
【００１８】
再生装置２００は、記録媒体４００に記録された各種ファイルを読み出して再生することができる。再生装置２００は、記録媒体４００から読み出した情報を映像信号として、表示装置３００に出力することが可能である。再生装置２００の構成及び動作は後述する。
【００１９】
表示装置３００は、再生装置２００から送出される映像信号を受信し、受信した映像信号が示す映像を表示可能である。表示装置３００は、３次元映像を表示可能である。表示装置３００は、再生装置２００から受信した映像信号を、２次元映像として表示する２Ｄ再生モードと、３次元映像として表示する３Ｄ再生モードとを備えている。表示装置３００は、液晶ディスプレイ、有機ＥＬディスプレイ等により構成可能である。表示装置３００は、アクティブシャッターメガネを用いて３次元映像をユーザに提供する。さらに、表示装置３００は、種々の３Ｄ映像信号に対応しており、再生装置２００から送出される映像信号に対して、フレームシーケンシャル方式での３次元表示が可能である。
【００２０】
なお、フレームシーケンシャル方式において静止画データを表示する場合、３次元画像データの左目用画像データと右目用画像データを、１フレーム毎に交互に伝送する方式となる。つまり、再生装置２００は、例えば、１フレームのデータとして左目用画像データを送出した後に、１フレームのデータとして右目用画像データを送出する。
【００２１】
＜２．画像データの一例＞
図２は、記録媒体４００内に生成されたディレクトリ、フォルダ、及びファイルの構成を示す図である。ＲＯＯＴディレクトリに、撮影データを保存するためのフォルダＤＣＩＭが設けられている。フォルダＤＣＩＭ内には、１００ＡＢＣＤＥ、１０１ＡＢＣＤＥ等のフォルダ（以下、「撮影フォルダ」という）が設けられている。そして、撮影フォルダ内に、静止画データとして、「Ｐ００００００１．ＪＰＧ」、「Ｐ００００００１．ＭＰＯ」、「Ｐ００００００２．ＪＰＧ」、「Ｐ００００００２．ＭＰＯ」等の撮影データ（ファイル）が格納されている。拡張子が「ＪＰＧ」のファイルは、ＪＰＥＧ（Ｊｏｉｎｔ  Ｐｈｏｔｏｇｒａｐｈｉｃ  Ｅｘｐｅｒｔｓ  Ｇｒｏｕｐ）のファイルフォーマットで記録されたファイルである。以下、このファイルを適宜「ＪＰＥＧファイル」という。また、拡張子が「ＭＰＯ」のファイルは、ＭＰＯ（Ｍｕｌｔｉ−Ｐｉｃｔｕｒｅ  Ｆｏｒｍａｔ）のファイルフォーマットで記録されたファイルである。以下、このファイルを適宜「ＭＰＯファイル」という。
【００２２】
ＭＰＯファイルには、複数の画像（以下、各画像を「個別画像」という）が含まれている。個別画像には種別コードが付与されている。種別コードの例を以下に示す。
種別情報                                    ：種別コード
Ｂａｓｅｌｉｎｅ  ＭＰ  主画像              ：０３０１
モニタ表示用画像  クラス１  ＶＧＡ相当      ：０１０１
モニタ表示用画像  クラス２  ＦｕｌｌＨＤ相当：０１０２
マルチビュー個別画像  パノラマ              ：０２０１
マルチビュー個別画像  立体視                ：０２０２
マルチビュー個別画像  マルチアングル        ：０２０３
【００２３】
ＭＰＯファイルフォーマットは、複数の静止画データ（画像データ）を１つのファイルにまとめることを可能とするフォーマットである（「ＣＩＰＡ  ＤＣ−００７−２００９  ２００９年２月発行  カメラ映像機器工業会」参照）。
【００２４】
ＪＰＥＧファイルフォーマットでは、１つのファイルに１つの個別画像（静止画像）を記録することができる。図３Ａは、ＪＰＥＧファイルフォーマットを説明した図である。ＪＰＥＧファイルには、データ格納領域として、図３Ａに示すように、Ｅｘｉｆ管理領域と主画像領域とが設けられている。Ｅｘｉｆ管理領域には、サムネイル画像を格納することができる。主画像領域には、画像データが格納される。これにより、２次元画像データは、ＪＰＥＧファイルフォーマットで記録される。
【００２５】
図３Ｂは、ＭＰＯファイルフォーマットを説明した図である。ＭＰＯファイルフォーマットでは、１つのファイルに複数の個別画像（静止画像）を記録することができる。各個別画像は、それぞれ個別の画像領域で管理される。そのため、１つのファイルには、図３Ｂに示すように、複数の個別画像領域が存在する。図３Ｂは個別画像領域が２個存在する場合を示している。各個別画像領域には、データ格納領域として、Ｅｘｉｆ管理領域と、拡張管理領域と、主画像領域とが設けられている。Ｅｘｉｆ管理領域には、サムネイル画像を格納することができる。拡張管理領域には、上述した種別コードが格納されている。また、拡張管理領域には、個別画像番号が格納されている。個別画像番号は、１から昇順で付与されている。先頭画像である個別画像１の拡張管理領域には、インデックス情報が格納されている。主画像領域には、画像データが格納されている。３次元画像データについては、ＭＰＯファイルフォーマットの種別コード：０２０２、種別情報：”マルチビュー個別画像  立体視”で記録される。２次元画像データであっても、ラージサムネイルを持つ一部のデータは、ＭＰＯフォーマットで記録される。
【００２６】
再生装置２００は、拡張管理領域に格納された種別コードを確認することにより、ＭＰＯファイルに記録された写真画像がどのような写真画像であるかを判別することができる。
【００２７】
２．再生装置及び表示装置の構成
以下、図４を用いて再生装置及び表示装置の構成を説明する。
【００２８】
２−１．再生装置の構成
再生装置２００は、光ディスクドライブ２０１、メモリカードスロット２０２、ネットワーク接続インタフェース２０３、リモコン受光部２０５、入出力インタフェース２０６、及びコントローラ２０４を有する。
【００２９】
光ディスクドライブ２０１は、光ディスクから情報を読み出すことが可能である。
【００３０】
メモリカードスロット２０２は、記録媒体４００を着脱可能であり、記録媒体４００から情報を読み出すことが可能である。
【００３１】
ネットワーク接続インタフェース２０３は、外部装置とネットワークを介して接続を行なうためのインタフェースである。
【００３２】
リモコン受光部２０５は、リモコン５００からの操作信号を受信することが可能である。
【００３３】
入出力インタフェース２０６は、映像信号と音声信号とデータ信号を、表示装置３００との間で送受信することが可能である。入出力インタフェース２０６は、ＨＤＭＩインタフェースで実現可能である。本実施の形態１では、再生装置２００と表示装置３００は、ＨＤＭＩケーブルで接続されている。
【００３４】
コントローラ２０４は、再生装置２００の各部を制御可能である。コントローラ２０４は、ＬＳＩで実現可能である。コントローラ２０４の詳細動作については後述する。
【００３５】
再生装置２００は、表示モード（動作モード）として２次元モードと３次元モードを有している。２次元モードは、２次元表示可能な形態のデータを表示装置３００に出力するモードである。３次元モードは、３次元表示可能な形態のデータを表示装置３００に出力するモードである。再生装置２００は、表示モードを２次元モードと３次元モードとの間で切り替え可能であり、設定された表示モードに応じて異なる動作を行う。
【００３６】
リモコン５００は、十字キー等の各種の操作ボタンを備える。リモコン５００は、ユーザからの操作指示を操作ボタンを介して受け付け、その指示に応じた制御信号を再生装置２００に送信する。再生装置２００は、リモコン受光部２０５が送信した信号を受信し、コントローラ２０４に伝送する。
【００３７】
２−２．表示装置の構成
表示装置３００は、入出力インタフェース３０１、ディスプレイ３０３、及びコントローラ３０２を備える。
【００３８】
入出力インタフェース３０１は、映像信号と音声信号とデータ信号を、再生装置２００との間で送受信可能である。入出力インタフェース３０１は、ＨＤＭＩインタフェースで実現可能である。
【００３９】
ディスプレイ３０３は、液晶ディスプレイや有機ＥＬディスプレイ等で実現可能である。
【００４０】
コントローラ３０２は、表示装置３００の各部を制御する。コントローラ３０２は、ＬＳＩで実現可能である。
【００４１】
３．再生装置の動作
本実施の形態の再生装置２００の動作を説明する。
【００４２】
まず、写真一覧（写真リスト）の表示画面遷移及び再生装置の動作を説明し、その後、再生装置の再生動作を説明する。以下、再生装置２００を主体として動作の説明を行なうが、再生装置２００の動作はコントローラ２０４の制御に基づいて各部が動作することで行われる。
【００４３】
３−１．概要
再生装置２００に記録媒体４００が装着され、かつ、再生装置２００に表示装置３００が接続された場合において、ユーザが記録媒体４００に記録された画像データ（写真）を再生する場合について説明する。なお、再生装置２００は、表示モードが２次元モードに設定されているものとする。
【００４４】
再生装置２００は、ユーザによる写真一覧表示指示の操作に応じて、表示装置３００に図５に示すような写真一覧（リスト）を表示させる。写真一覧は、「フォルダ」タブＴ１及び「３Ｄ」タブＴ２の２つのタブにより切り替えられる。「フォルダ」タブＴ１は、２次元形式の画像データ及び３次元形式の画像データを含む画像データの一覧を表示する際に選択されるタブである。「３Ｄ」タブＴ２は、２次元形式の画像データを含まず、３次元形式の画像データを含む画像データの一覧を表示する際に選択されるタブである。図５は、「フォルダ」タブＴ１が選択された場合に表示される写真一覧（第１のリスト）の例を示している。図６は、「３Ｄ」タブＴ２が選択された場合に表示される写真一覧（第２のリスト）の例を示している。本実施形態では、「フォルダ」タブＴ１が選択された場合、ＪＰＥＧファイルフォーマットのファイル（ＪＰＥＧファイル）及びＭＰＯファイルフォーマットのファイル（ＭＰＯファイル）が読み出され、リスト表示される。「３Ｄ」タブＴ２が選択された場合、ＭＰＯフォーマットのファイルのファイルが読み出され、リスト表示される。
【００４５】
上記２つのタブＴ１、Ｔ２は、ユーザのリモコン操作（左右キーの操作）により、選択可能である。本実施の形態では、初期画面として、「フォルダ」タブＴ１が選択されたときの写真一覧を表示する。
【００４６】
再生装置２００は、「フォルダ」タブＴ１が選択された場合、これに対応する写真一覧を表示するため、記録媒体４００に記録された撮影データから、撮影フォルダ毎にＪＰＥＧファイル及びＭＰＯファイルを読み出す。具体的には、再生装置２００は、拡張子が「ＪＰＧ」及び「ＭＰＯ」であるファイルを読み出す。つまり、再生装置２００は、撮影フォルダ毎に静止画データを全て読み出す。そして、再生装置２００は、読み出したファイルに含まれるサムネイル画像の一部を写真一覧に表示する。図５に示す例では、撮影フォルダ毎に４枚ずつサムネイル画像（図５において写真１〜２０と示している部分）が表示されている。
【００４７】
ユーザによる左右キーの操作により、「３Ｄ」タブＴ２が選択されると、再生装置２００は、以下のように動作する。なお、再生装置２００は、ユーザが操作途中である場合、以下の動作は行わない。なお、操作途中とは、左キー又は右キーが押下された状態で維持されている状態を指す。ユーザの操作途中から処理を実行すると、操作内容が変更された場合に実行した処理が無駄となるが、本実施形態によれば、そのような無駄を回避できる。また、無駄な処理を実行しない結果、表示処理をより高速にできる。
【００４８】
ユーザの操作完了後、「３Ｄ」タブＴ２が選択された場合、再生装置２００は、図６に示すように、表示形態を２次元表示から３次元表示に切り替えることを報知する画面を表示装置３００に表示させる。再生装置２００は、この報知する画面をユーザに提示することにより、ユーザに対して写真が立体表示（３次元表示）されることを知らせることができる。これによって、ユーザは、立体写真（３次元写真）がいきなり表示されて驚くといったことがなくなる。また、ユーザの意思（２次元表示から３次元表示に変更させることの意思）を確認することも可能になる。
【００４９】
この後、ユーザにより決定ボタンが押下されると、再生装置２００は、表示装置３００との間で認証動作を行なう。具体的には、再生装置２００は、表示装置３００が所定の３次元表示方式で３次元表示が可能かどうかをチェックし、所定の３次元表示方式で３次元表示が可能である場合、表示モードを３次元モードに設定する。一方、再生装置２００は、表示装置３００が所定の３次元表示での表示が不可能である場合、表示モードを２次元モードに設定する。
【００５０】
具体的には、再生装置２００は図７のテーブル情報を参照して認証動作を行なう。図７は、表示装置３００の３Ｄ表示対応と、再生装置２００の表示モードとの関係を示したテーブル情報である。図７のテーブル情報によれば、再生する画像が静止画（写真）である場合、再生装置２００は、表示装置３００が、フレームシーケンシャル方式に対応しているか否かを判断する。フレームシーケンシャル方式とは、３次元データの伝送方式の１方式であり、図８（ａ）に示すような左目用画像（Ｌ）と右目用画像（Ｒ）を時間的に交互に送信する方式である。フレームシーケンシャル方式に対応しているか否かの判断は、表示装置３００との通信で得られる情報に基づいて行うことができる。なお、再生装置２００と表示装置３００とのインタフェースがＨＤＭＩであれば、ＨＤＭＩｖｅｒ１．４ａに該当するか否かで、フレームシーケンシャル方式への対応を判別することが可能である。
【００５１】
表示装置３００がフレームシーケンシャル方式に対応している場合、再生装置２００は、自装置の表示モードを３次元モードに設定する。一方、表示装置３００がフレームシーケンシャル方式に対応していない場合、再生装置２００は、自装置の表示モードを２次元モードに設定する。
【００５２】
一方、再生する画像が動画（ビデオ）である場合、再生装置２００は、表示装置３００が、３Ｄ表示に対応しているか否かを判断する。すなわち、表示装置３００が、フレームシーケンシャル方式以外の３次元データの伝送方式のいずれかに対応しているか否かを判断する。ここで、フレームシーケンシャル方式以外の３次元データの伝送方式としては、例えば、図８（ｂ）〜（ｅ）に示すようなサイドバイサイド方式、トップアンドボトム方式、チェッカー方式、ラインバイライン方式がある。
【００５３】
このように、本実施の形態では、動画像（ビデオ）を再生する場合と静止画像（写真）を再生する場合とで、表示モードの設定方法を異ならせている。つまり、再生装置２００は、静止画像を再生する場合、表示装置３００がフレームシーケンシャル方式に対応していれば、３次元モードで動作する。一方、再生装置２００は動画像を再生する場合、表示装置３００がフレームシーケンシャル方式に対応していなくとも、他の３次元データの伝送方式に対応しており３次元表示が可能であれば、再生装置２００は３次元モードで動作する。
【００５４】
このような制御によれば、３Ｄ方式の静止画像については、フレームシーケンシャル方式の伝送しか許されない。つまり、元の静止画像が３Ｄ方式の画像であっても、表示装置３００フレームシーケンシャル方式に対応していなければ、２Ｄ方式の伝送がなされる。図８（ｂ）〜（ｅ）に示すような他の３次元データの伝送方式の場合は、フレームシーケンシャル方式の伝送の場合よりも、表示される３Ｄ画像の画質が悪くなる。したがって、上記の表示動作により、３Ｄ方式の静止画像について、高画質な３次元写真をユーザに提供できる。一方、３Ｄ方式の動画像については、サイドバイサイド方式等のように１フレームに２枚（左目用及び右目用）の映像を含んで伝送でき、伝送時間を高速にできる。このため、動画像の処理回路の大型化等を回避することができる。なお、静止画の３Ｄ表示時の画質を考慮する必要がなければ、静止画の場合も動画と同様に、表示装置３００が３次元表示に対応しているか否に応じて再生装置２００の表示モードを設定してもよい。
【００５５】
図６の画面においてユーザにより決定ボタンが押下されると、再生装置２００は、表示装置３００との認証を行う。認証を行なって、３次元モードが設定された場合、図９のようなメッセージ画面が表示される。これは、２次元表示モードから３次元表示モードに切り替える際、再生装置２００の設定及び表示装置３００の設定が変更されることにより、画像の乱れを生ずる可能性があるので、それをユーザに周知するためである。その後、再生装置２００及び表示装置３００は、映像信号フォーマットを２次元から３次元の方式に切り替える。
【００５６】
その後、図９の画面においてユーザにより決定ボタンが押下されると、再生装置２００は、図１０のような黒画面を表示した後、自装置の設定を切り替える。黒画面を表示させるのは、２次元モードから３次元モードへ表示モードが変更される際、つまり過渡状態において画面に生じるノイズや、画面の乱れを隠すためである。
【００５７】
その後、再生装置２００は、図１１に示すように、「３Ｄ」タブＴ２が選択された状態の写真一覧を表示するため、記録媒体４００に記録された撮影データから、撮影フォルダ毎にＭＰＯファイルを読み出す。具体的には、再生装置２００は、拡張子が「ＭＰＯ」であるファイルを読み出す。つまり、再生装置２００は、撮影フォルダ毎に３次元表示できる可能性のある静止画データを全て読み出す。そして、再生装置２００は、読み出したファイルに含まれるサムネイル画像の一部を写真一覧に表示する。図１１には、撮影フォルダ毎に４枚ずつサムネイル画像（図１１において写真１〜８と示している部分）が表示されている。
【００５８】
本実施の形態では、図５及び図１１に示すように、選択された表示形態に応じて、表示できるファイルを異ならせる。これによって、ユーザは、再生したいデータを再生したい表示形態で、より確実に再生できるようになる。
【００５９】
また、本実施の形態では、タブの切り替え時にファイルの拡張子を用いて読み出すデータを選択するようにした。このようにすれば、写真一覧を表示するまでにかかる時間を、より短時間にできる。このため、写真一覧を表示してから再生するまでの時間をより短縮できる。
【００６０】
なお、ＭＰＯファイル内には、前述のように種別コードが格納されているので、種別コードに基づいて３次元表示可能なデータかの分類（判別）を行えば、３次元表示可能なデータをより確実に分類できる。しかし、１つ１つのファイルについて、種別コードを確認していては、分類するための処理が多くなり、写真一覧の表示までの処理時間が長くなる。そこで本実施の形態では、写真一覧を表示する時点では、種別コードを用いた分類までは行わずに、簡易な分類に留めることで、より高速写真一覧の表示を実現している。写真一覧を表示するまでの処理時間が長くても問題なければ、種別コードに基づいて３次元表示可能なデータのみを選択した後、写真一覧に表示するようにしてもよい。
【００６１】
なお、「３Ｄ」タブＴ２が選択された状態から、ユーザの操作により「フォルダ」タブＴ１が選択された場合、再生装置２００は以下の動作を行なう。なお、ユーザの操作の途中では、以下の処理を行わない。
【００６２】
まず、再生装置２００は、図１２に示すような表示画面を表示装置３００に表示させる。この際、再生装置２００は、表示装置３００との認証は行なわない。表示装置３００が３次元表示できるものである場合、通常、その表示装置３００は、２次元表示もできるからである。
【００６３】
再生装置２００は、ユーザにより決定ボタンが操作されると、表示モードを２次元モードに設定し、図１０と同様の黒画面を表示する。黒画面を表示させるのは、２次元モードから３次元モードへの変更時同様に、モード変更時の表示画面の乱れを隠すためである。そして、再生装置２００は、前述の図５に示すような、表示画面を表示装置３００に表示させる。
【００６４】
図１３は、「フォルダ」タブＴ１が選択されたときの写真一覧（図５）に表示された撮影フォルダの中から、一つの撮影フォルダが選択された場合の写真一覧の状態を示す図である。図１３の一覧には、ＪＰＥＧファイルと、ＭＰＯファイルが含まれている。ＭＰＯファイルには、所定のアイコン（「３Ｄ」というアイコン。以下、適宜「３Ｄアイコン」という）が付加されている。
【００６５】
一方、図１４は、「３Ｄ」タブＴ２が選択されたときの写真一覧（図１１）に表示された撮影フォルダの中から、一つの撮影フォルダが選択された場合の写真一覧の状態を示す図である。図１４の一覧には、ＭＰＯファイルのみが含まれる。ＭＰＯファイルには、所定のアイコン（３Ｄアイコン）が付加されている。
【００６６】
３−２．再生動作
３−２−１．２Ｄ再生動作
表示モードが２次元モードに設定された場合の、再生装置２００によるスライドショー再生の動作を説明する。再生装置２００は、表示モードが２次元モードに設定され、かつ、図１３の画面が表示装置３００に表示された状態で、ユーザからスライドショー再生の指示を受け付けると、図１５のフローチャートに示す処理を開始する。記録媒体４００の撮影フォルダ「１００ＡＢＣＤＥ」がスライドショー再生の対象となっているものとする。
【００６７】
まず、再生装置２００は、記録媒体４００から再生対象の一のファイルを読み出す（ステップＳ１３０１）。例えば、再生装置２００は、「Ｐ００００００１．ＪＰＧ」を読み出す。
【００６８】
この後、再生装置２００は、読み出したファイルの拡張管理領域が存在するか否かを判別する（ステップＳ１３０２）。この判別により、読み出したファイルがＭＰＯファイルフォーマットか否かを判別している。すなわち、拡張領域がない場合、読み出したファイルがＪＰＥＧファイルフォーマットであると判別でき、拡張領域がある場合、読み出したファイルがＭＰＯファイルフォーマットであると判別できる。
【００６９】
再生装置２００は、拡張管理領域がない場合、すなわち、ファイルがＪＰＥＧファイルフォーマットの場合、主画像領域の画像データを読み出して、表示装置３００に出力する（ステップＳ１３０４）。
【００７０】
一方、再生装置２００は、拡張管理領域がある場合、すなわち、ファイルがＭＰＯファイルフォーマットの場合、拡張管理領域の個別画像番号が「１」である個別画像の主画像領域から画像データを読み出し、表示装置３００に出力する（ステップＳ１３０３）。
【００７１】
再生装置２００は、ステップＳ１３０４又はステップＳ１３０３の後、次に再生するファイルがあるか否かを判別する（ステップＳ１３０５）。
【００７２】
そして、再生装置２００は、次に再生するファイルがある場合、ステップＳ１３０１に戻って、次の再生対象のファイルを読み出す（ステップＳ１３０１）。例えば、再生装置２００は、次に「Ｐ００００００１．ＭＰＯ」を読み出す。
【００７３】
一方、次に再生するファイルがない場合、再生装置２００は再生処理を終了する。
【００７４】
このように、「フォルダ」タブＴ１を選択した場合に表示されるリストに含まれる画像データについては、３次元表示可能に撮影された画像データであっても、２次元表示を行う。すなわち、「フォルダ」タブＴ１が選択された場合に表示されるリストに含まれる画像データは全て２次元表示される。しがって、画像データを順に再生していっても、２次元表示から３次元表示への切替及び３次元表示から２次元表示への切替が発生せず、そのため、画面の乱れが発生しない。
【００７５】
３−２−２．３Ｄ再生動作
表示モードが３次元モードに設定された場合の、再生装置２００によるスライドショー再生の動作を説明する。再生装置２００は、表示モードが３次元モードに設定され、かつ、図１４の画面が表示装置３００に表示された状態で、ユーザからスライドショー再生の指示を受け付けると、図１６のフローチャートに示す処理を開始する。記録媒体４００の撮影フォルダ「１００ＡＢＣＤＥ」がスライドショー再生の対象となっているものとする。
【００７６】
まず、再生装置２００は、記録媒体４００から再生対象の一のファイルを読み出す（ステップＳ１４０１）。例えば、再生装置２００は、「Ｐ００００００１．ＭＰＯ」を読み出す。
【００７７】
この後、再生装置２００は、読み出したファイルの拡張管理領域内の種別コードが、立体視を示すコードであるか否かを判別する（ステップＳ１４０２）。
【００７８】
再生装置２００は、種別コードが立体視を示すコードでない場合、拡張管理領域の個別画像番号が「１」である個別画像の主画像領域から画像データを読み出し、表示装置３００に出力する（ステップＳ１４０４）。具体的には、再生装置２００は、読み出した個別画像番号が「１」である個別画像の画像データを、フレームシーケンシャル方式に対応するよう、左目用画像データ及び右目用画像データとして出力する。したがって、右目用画像データと左目用画像データにはともに、読み出した同じ画像データが出力されることになる。
【００７９】
一方、再生装置２００は、種別コードが立体視を示すコードである場合、個別画像番号「１」の主画像領域の画像データを左目用画像データとして、また、個別画像番号「２」の主画像領域の画像データを右目用画像データとして、読み出す（ステップＳ１４０３）。そして、再生装置２００は、左目用画像データ、右目用画像データの順に、交互にフレームシーケンシャル方式によって、映像信号を出力する。
【００８０】
再生装置２００は、ステップＳ１４０４又はステップＳ１４０３を終了すると、次に再生すべきファイルがあるか否かを判別する（ステップＳ１４０５）。
【００８１】
次に再生すべきファイルがある場合、再生装置２００は、ステップＳ１４０１に戻って、次の再生対象のファイルを読み出す（ステップＳ１４０１）。例えば、再生装置２００は、「Ｐ００００００２．ＭＰＯ」を読み出す。
【００８２】
一方、次に再生すべきファイルがない場合、再生装置２００は再生処理を終了する。
【００８３】
このように、「３Ｄ」タブＴ２選択した場合に表示されるリストに含まれる画像については、３次元表示の形態で出力する。但し、再生対象ファイルがＭＰＯファイルであっても、３次元表示可能に撮影されていないもの（種別コードが立体視を示すコードでないもの）については、３次元の出力形態に対応させて出力する。
【００８４】
４．まとめ
本実施の形態に係る再生装置２００は、複数の静止画データを記録した記録媒体４００から静止画データを読み出し、読み出した静止画データの情報を表示装置３００に出力することが可能な再生装置である。再生装置２００は、ユーザの操作による指示を受け付けるリモコン受光部２０５と、表示装置３００において表示させる画像を制御するための画像情報を制御するコントローラ２０４とを備える。複数の静止画データは、２次元表示を可能とするＪＰＥＧフォーマットの静止画データ（２次元画像データ）と、３次元表示を可能とするＭＰＯフォーマットの静止画データ（３次元画像データ）とを含む。コントローラ２０４は、表示モードとして、静止画データを２次元表示するためのフォーマットで出力する２次元モードと、静止画データを３次元表示するためのフォーマットで出力する３次元モードとを有する。コントローラ２０４は、ＪＰＥＧフォーマットの静止画データ及びＭＰＯフォーマットの静止画データを含む画像一覧である第１リスト（フォルダタブＴ１選択時の画像一覧）と、ＭＰＯフォーマットの静止画データのみを含む画像一覧である第２リスト（３ＤタブＴ２選択時の画像一覧）とを切り替え可能に表示するための画像情報を表示装置３００に出力する。コントローラ２０４は、ＪＰＥＧフォーマットの静止画データ及びＭＰＯフォーマットの静止画データを含む画像一覧（フォルダタブＴ１選択時の画像一覧）が表示された状態で、静止画データの再生指示を受け付けたときに、その画像一覧に含まれる静止画データを２次元モードで表示装置に出力する。
【００８５】
このように、ＪＰＥＧフォーマットの静止画データ及びＭＰＯフォーマットの静止画データを含む画像一覧（フォルダタブＴ１選択時の画像一覧）が表示された状態で、静止画データの再生指示を受け付けたときには、２次元表示するための表示フォーマットで静止画データが出力される。したがって、ＪＰＥＧデータとＭＰＯデータが混在している場合であっても、表示装置３００側の表示モードの切替が発生せず、ＨＤＭＩで要求される表示装置３００に対する３次元表示可能か否かの認証を行なう必要がなく、画像の乱れも発生しない。
【００８６】
また、３次元表示可能な表示装置３００において、第１リストに含まれるＪＰＥＧデータ及びＭＰＯデータを表示させるときには２次元表示され、第２リストに含まれるＭＰＯデータ（種別コードが「０２０２」（立体視）を示すもの）を表示させるときには３次元表示されるので、いずれかのリストを選択することにより、２次元表示と３次元表示とを確実に切り分けて表示させることができる。
【００８７】
また、再生装置２００は、第１リストを表示させている状態において第２リストが表示されるように選択操作が行われると、表示装置３００に対して認証を行なう前に、切り替えメッセージを示す表示画面を表示装置３００に表示させる。
【００８８】
このような構成によれば、ユーザによるリストの切替に対する意思を反映させることができる。
【００８９】
再生装置２００は、第１リストを表示させている状態において第２リストが表示されるように選択操作が行われる際、選択操作が操作途中であるときは、切り替えメッセージを示す表示画面を表示装置３００に表示せず、かつ表示装置３００に対する認証も行なわない。
【００９０】
ユーザの操作途中から処理を実行すると、操作内容が変更された場合に実行した処理が無駄となるが、本実施形態によれば、そのような無駄を回避できる。また、無駄な処理を実行しない結果、表示処理をより高速にできる。
【００９１】
（実施の形態２）
実施の形態１では、１つの入出力インタフェースを備えた再生装置２００の例を説明した。具体的には、実施の形態１では、再生装置２００は、認証動作を行った後、図７に示すパターンに基づいて２次元モードと３次元モードを切り替える。実施の形態２では、２つの入出力インタフェース（例えば、ＨＤＭＩインタフェース）を備えた再生装置２００について、図１７に示すフローチャートを参照して説明する。なお、２つの入出力インタフェースのうちの第１のインタフェースに接続される機器を機器Ａ、第２のインタフェースに接続される機器を機器Ｂとする。機器Ａ、Ｂは、表示装置やＡＶアンプ等である。
【００９２】
実施の形態２では、図１７に示すフローチャートにしたがって認証動作を行い、表示モードを設定する。
【００９３】
まず、再生装置２００は、第１のインタフェースに対して接続された機器Ａがフレームシーケンシャル方式（３ＤＦＳ）に対応しているか否かを判別する（ステップＳ１５０１）。
【００９４】
機器Ａがフレームシーケンシャル方式（３ＤＦＳ）に対応している場合、再生装置２００は、第２のインタフェースに接続される機器Ｂについて下記のいずれかの条件が満たされているか否かを判断する（ステップＳ１５０２）。
１）第２のインタフェースに機器Ｂが接続されていない（第２のインタフェースに対する接続機器の検出なし）か
２）機器Ｂが音声機器であるか
３）機器Ｂがフレームシーケンシャル方式に対応しているか
なお、１）において、「検出なし」には、機器Ｂが接続されていない場合だけでなく、接続された機器Ｂの電源がＯＦＦの状態も含む。
【００９５】
上記の条件１）〜３）のいずれかが満たされる場合、再生装置２００は、表示モードとして３次元モードを設定する（ステップＳ１５０３）。一方、再生装置２００は、上記の条件１）〜３）のいずれも満たされない場合、表示モードとして２次元モードを設定する（ステップＳ１５０４）。
【００９６】
一方、ステップＳ１５０１で、機器Ａがフレームシーケンシャル方式（３ＤＦＳ）に対応している場合、再生装置２００は、第２のインタフェースに接続された機器Ｂがフレームシーケンシャル方式に対応しているか否かを判別する（ステップＳ１５０５）。
【００９７】
機器Ｂがフレームシーケンシャル方式に対応していない場合、再生装置２００は、表示モードとして2次元モードを設定する（ステップＳ１５０９）。
【００９８】
再生装置２００は、機器Ｂがフレームシーケンシャル方式に対応している場合、機器Ａが下記のいずれかの条件を満たしているか否かを判断する（ステップＳ１５０６）。
１’）機器Ａが第１のインタフェースに接続されていない（第１のインタフェースに接続された機器の検出なし）か
２’）機器Ａが音声機器であるか
なお、１’）において、「検出なし」には、機器Ａが接続されていない場合だけでなく、接続された機器Ａの電源がＯＦＦの状態も含む。
【００９９】
上記の条件１’）〜２’）のいずれかが満たされる場合、再生装置２００は、表示モードとして３次元モードを設定する（ステップＳ１５０７）。一方、上記の条件１’）〜２’）のいずれも満たされない場合、再生装置２００は、表示モードとして２次元モードを設定する（ステップＳ１５０８）。
【０１００】
図１７に示すように表示モードの設定を切り替えることで、２つの入出力インタフェースに接続された機器Ａと機器Ｂの両方が表示装置であり、いずれか一方の機器が３次元映像を再生可能であるが、他方の機器が３次元映像を再生可能でない場合に、再生装置２００から、３次元フォーマットの映像信号を出力してしまうことにより、３次元映像の再生が不可である他方の機器での不具合を防止できる。
【０１０１】
（他の実施の形態）
上記の実施の形態では、再生装置２００は、自装置に着脱可能な記憶媒体４００から、画像データが記録された各種ファイルを読み出すようにした。しかしこれに限らず、再生装置２００は、ＬＡＮケーブル用コネクタや無線ＬＡＮ回路のようなネットワーク接続インタフェースを有し、このネットワーク接続インタフェースを用いて外部端末に備える記録媒体から、各種ファイルを読み出すようにしてもよい。また、再生装置２００にＨＤＤ（ハードディスクドライブ）を内蔵させ、この内蔵されたＨＤＤから、各種ファイルを読み出してもよい。
【０１０２】
上記の実施の形態では、表示装置３００は、アクティブシャッターメガネを介して３次元映像を視認するための３次元映像をユーザに提供する。しかし、実施形態１、２の技術思想は、アクティブシャッターメガネを用いない３次元映像表示システムに対しても適用可能である。
【０１０３】
上記の実施の形態では、再生装置２００と表示装置３００は有線で接続されるように構成した。しかし、無線で接続してもかまわない。
【産業上の利用可能性】
【０１０４】
上記各実施形態の技術思想は、静止画像及び動画像を３次元表示可能な表示装置に接続される再生装置に適用可能である。
【符号の説明】
【０１０５】
１００  カメラ
２００  再生装置
２０１  光ディスクドライブ
２０２  メモリカードスロット
２０３  ネットワーク接続インタフェース
２０４  コントローラ
２０５  リモコン受光部
２０６  入出力インタフェース
３００  表示装置
３０１  入出力インタフェース
３０２  コントローラ
３０３  ディスプレイ
４００  記録媒体
５００  リモコン
【図１】
2012054922.tif 000003
【図２】
2012054922.tif 000004
【図３Ａ】
2012054922.tif 000005
【図３Ｂ】
2012054922.tif 000006
【図４】
2012054922.tif 000007
【図５】
2012054922.tif 000008
【図６】
2012054922.tif 000009
【図７】
2012054922.tif 000010
【図８】
2012054922.tif 000011
【図９】
2012054922.tif 000012
【図１０】
2012054922.tif 000013
【図１１】
2012054922.tif 000014
【図１２】
2012054922.tif 000015
【図１３】
2012054922.tif 000016
【図１４】
2012054922.tif 000017
【図１５】
2012054922.tif 000018
【図１６】
2012054922.tif 000019
【図１７】
2012054922.tif 000020